(57)【要約】【課題】有効塩素成分を含有する電解生成水（電解生成酸性水）を殺菌洗浄等に使用する場合に、洗浄台の設置場所の周囲に揮発する塩素成分を除去するための塩素成分除去装置を、洗浄台に設置できるように小型に構成する。【解決手段】塩素成分除去装置Ａ1，Ａ2は、洗浄台Ｃの受槽ｃ3の近傍に吸気口１１ｄが開口する吸気用ダクト１１と、吸気用ダクト１１内に配置されて塩素成分除去液のシャワーを形成するシャワー形成装置２０ａ，２０ｂと、吸気用ダクト１１内に配置された吸気用ファン１２を備え、吸気用ファン１２の駆動により、受槽ｃ3の周囲の雰囲気である空気を吸気口１１ｄから吸気用ダクト１１内に吸引し、シャワー形成装置２０ａ，２０ｂが形成するシャワーＥ内を透過させて空気中の塩素成分を除去し、塩素成分を含有しない空気として排気口１１ｃから排出させる。【選択図】    図６
2005081290.tif 000002
【特許請求の範囲】
【請求項１】
電解生成水供給源から吐出する有効塩素成分を含有する電解生成水を受水する受槽を備える洗浄台または同洗浄台に近接して配置されて、前記電解生成水供給源から吐出する電解生成水から揮発するガスを吸引して同ガス中の塩素成分を除去する塩素成分除去装置であり、当該塩素成分除去装置は、前記洗浄台の受槽の近傍に吸気口が開口する吸気用ダクトと、同吸気用ダクト内に配置された塩素成分除去剤と、前記吸気用ダクト内または同吸気用ダクトの排気口に近接して配置され前記受槽の周囲の雰囲気を前記吸気口から前記吸気用ダクト内に吸引して前記塩素成分除去剤と接触させて前記排気口から排出させる吸気用ファンを備え、前記塩素成分除去剤として前記吸気用ダクト内に吸引された空気中の塩素と反応して塩に変換する液状の塩素成分除去剤が採用されていて、前記吸気用ダクトの前記排気口より上流側に前記塩素成分除去剤のシャワーを形成するシャワー形成装置を備え、前記吸気用ダクト内に吸引された空気が前記シャワー形成装置が形成するシャワー内を透過するように構成されていることを特徴とする電解生成水から揮発する塩素成分除去装置。
【請求項２】
請求項１に記載の塩素成分除去装置において、前記シャワー形成装置は、複数のシャワーノズルと、これらのシャワーノズルの下方にて所定間隔離れて位置する受水槽と、同受水槽内の塩素成分除去剤を還流して前記各シャワーノズルに供給する給水ポンプにて構成されていることを特徴とする電解生成水から揮発する塩素成分除去装置。
【請求項３】
請求項１に記載の塩素成分除去装置において、前記シャワー形成装置は、底部に多数のノズル穴を有する上側水槽と、同上側水槽の下方にて所定間隔離れて位置する下側水槽と、同下側槽内の塩素成分除去剤を還流して前記上側水槽に供給する給水ポンプにて構成されていることを特徴とする電解生成水から揮発する塩素成分除去装置。
【請求項４】
請求項１〜３のいずれか一項に記載の塩素成分除去装置において、前記塩素成分除去剤は、電解水生成装置で生成される電解生成アルカリ性水、チオ硫酸ナトリウム水溶液、またはアルカリ性水であることを特徴とする電解生成水から揮発する塩素成分除去装置。
【請求項５】
請求項２または３に記載の塩素成分除去装置において、前記シャワー形成装置を構成する前記受水槽または前記下側水槽はオーバフロー管路を備えていて、前記各シャワーノズルまたは前記上側水槽には塩素成分除去剤である電解生成アルカリ性水、チオ硫酸ナトリウム水溶液またはアルカリ性水が導入されるように構成されていることを特徴とする電解生成水から揮発する塩素成分除去装置。
【請求項６】
請求項２または３に記載の塩素成分除去装置において、前記シャワー形成装置を構成する前記受水槽または前記下側水槽はオーバフロー管路を備えていて、同受水槽または前記下側水槽には塩素成分除去剤である電解生成アルカリ性水、チオ硫酸ナトリウム水溶液またはアルカリ性水が導入されるように構成されていることを特徴とする電解生成水から揮発する塩素成分除去装置。
【発明の詳細な説明】
【技術分野】
【０００１】
本発明は、電解水生成装置で生成される有効塩素成分を含有する電解生成水から揮発する塩素成分を除去するための塩素成分除去装置に関する。本発明では、当該塩素成分除去装置を、電解生成水から揮発する塩素成分除去装置と称するが、単に、塩素成分除去装置と称することがある。
【背景技術】
【０００２】
電解水生成装置で生成される電解生成水の使用態様として、家庭や店舗の流し台（シンク）等、洗浄台に近接して配設した電解水生成装置の電解生成水用吐出口から吐出する電解生成水や、電解生成水用貯留タンク等の電解生成水用吐出口から吐出する電解生成水を洗浄台の受槽に受水し、受槽に収容された電解生成水や吐出途中の電解生成水を洗浄用水として使用し、または、その他の処理用途に使用する態様がある。なお、本発明では、上記した電解水生成装置および電解生成水用貯留タンク等を、一括して電解生成水供給源と称している。
【０００３】
電解生成水のこのような使用態様においては、電解生成水供給源から各種の特性の電解生成水を選択して吐出して使用することができるが、特に、塩素成分を含有する酸性の電解生成性水は高い殺菌能を有することから、人体の手足等を消毒洗浄するためや、食材、食器類、その他の機器等を殺菌洗浄するために好適で頻繁に使用される。当該電解生成水は、一般に電解生成酸性水と称しており、以下では、当該電解生成水を電解生成酸性水ということがある。電解生成酸性水のこのような使用態様を採用することができる洗浄台については、電解水手洗器の名称で提案されている（特許文献１参照）。
【０００４】
ところで、電解生成酸性水のこのような使用態様では、電解生成酸性水に含有されている塩素成分は、電解水生成装置や電解生成水用タンク等の電解生成水供給源から吐出途中の電解生成酸性水や、受槽に収容されている電解生成酸性水から塩素ガス等として揮発し、揮発した塩素ガス等の塩素成分が電解生成酸性水を使用する周囲の環境を汚染する。このため、電解生成酸性水のこのような使用態様では、電解生成酸性水から揮発した塩素ガス等の塩素成分を、洗浄台の周囲から室外へ排気することが重要であり、従来では、洗浄台の設置場所に換気設備を設置する手段が採られている。
【特許文献１】特開平１１−２３５３７８号公報
【発明の開示】
【発明が解決しようとする課題】
【０００５】
このように、有効塩素成分を含有する電解生成水、換言すれば、電解生成酸性水のこのような使用態様では、電解生成酸性水から揮発する塩素ガス等の塩素成分を含む洗浄台の周囲の雰囲気を排気するための換気設備の設置が不可欠である。しかしながら、洗浄台の設置場所によっては換気設備の設置が難しい場合があり、また、換気設備の設置がコスト的に問題となる場合がある。
【０００６】
本発明の目的は、電解生成酸性水のこのような使用態様を、換気設備が整っていない場所でも採用し得るようにすることにある。本発明の目的は、詳しくは、電解生成酸性水から揮発する塩素ガス等の塩素成分を効率よく除去し得る塩素成分除去装置であって、洗浄台の受槽に隣接する受台に載置し、または、洗浄台を構成する台本体内の空間部に組込むことができる小型の塩素成分除去装置を提供することにある。
【課題を解決するための手段】
【０００７】
本発明は、電解水生成装置で生成される有効塩素成分を含有する電解生成水から揮発する塩素成分を除去するための塩素成分除去装置に関する。本発明に係る塩素成分除去装置は、電解生成水供給源から吐出する有効塩素成分を含有する電解生成水を受水する受槽を備える洗浄台または同洗浄台に近接して配置されて、前記電解生成水供給源から吐出する電解生成水から揮発するガスを吸引して同ガス中の塩素成分を除去する形式の電解生成水から揮発する塩素成分除去装置である。
【０００８】
本発明に係る塩素成分除去装置においては、前記洗浄台の受槽の近傍に吸気口が開口する吸気用ダクトと、同吸気用ダクト内に配置された塩素成分除去剤と、前記吸気用ダクト内または同吸気用ダクトの排気口に近接して配置され前記受槽の周囲の雰囲気を前記吸気口から前記吸気用ダクト内に吸引して前記塩素成分除去剤と接触させて前記排気口から排出させる吸気用ファンを備え、前記塩素成分除去剤として前記吸気用ダクト内に吸引された空気中の塩素と反応して塩に変換する液状の塩素成分除去剤が採用されていて、前記吸気用ダクトの前記排気口より上流側に前記塩素成分除去剤のシャワーを形成するシャワー形成装置を備え、前記吸気用ダクト内に吸引された空気が前記シャワー形成装置が形成するシャワー内を透過するように構成されていることを特徴とするものである。
【０００９】
本発明に係る塩素成分除去装置においては、前記シャワー形成装置を、複数のシャワーノズルと、これらのシャワーノズルの下方にて所定間隔離れて位置する受水槽と、同受水槽内の塩素成分除去剤を還流して前記各シャワーノズルに供給する給水ポンプにて構成することができ、また、底部に多数のノズル穴を有する上側水槽と、同上側水槽の下方にて所定間隔離れて位置する下側水槽と、同下側槽内の塩素成分除去剤を還流して前記上側水槽に供給する給水ポンプにて構成することができる。
【００１０】
本発明に係る塩素成分除去装置においては、前記塩素成分除去剤として、電解水生成装置で生成される電解生成アルカリ性水、チオ硫酸ナトリウム水溶液、またはアルカリ性水を採用することができる。この場合、前記シャワー形成装置を構成する前記受水槽または前記下側水槽にオーバフロー管路を設けて、前記各シャワーノズルまたは前記上側水槽に塩素成分除去剤である電解生成アルカリ性水、チオ硫酸ナトリウム水溶液またはアルカリ性水を導入し得るように構成することができる。また、前記シャワー形成装置を構成する前記受水槽または前記下側水槽にオーバフロー管路を設けて、同受水槽または前記下側水槽には塩素成分除去剤である電解生成アルカリ性水、チオ硫酸ナトリウム水溶液またはアルカリ性水を導入し得るように構成することができる。
【発明の効果】
【００１１】
本発明に係る塩素成分除去装置は、洗浄台の受槽の近傍に吸気口が開口する吸気用ダクトと、吸気用ダクト内に配置された塩素成分除去剤と、吸気用ダクト内または同吸気用ダクトの排気口に近接して配置され受槽の周囲の雰囲気を吸気口から吸気用ダクト内に吸引して塩素成分除去剤と接触させて排気口から排出させる吸気用ファンを備えることを基本構成とする小型のもので、電解水生成装置や電解生成水用貯留タンク等の電解生成水供給源の設置場所の近傍にある洗浄台の所望の場所に設置して使用することができる。このため、当該塩素成分除去装置は、換気設備が整っていない場所で狭い設置空間にも設置し得て、電解生成酸性水から揮発する塩素ガス等の塩素成分を効率よく除去することができるものである。
【００１２】
本発明に係る塩素成分除去装置においては、塩素成分除去剤として、吸気用ダクト内に吸引した空気中の塩素成分と反応して塩に変換することによって、当該空気中から塩素成分を除去する機能を有する液状の塩素成分除去剤を採用する形式のものである。本発明に係る塩素成除去装置は、液状の塩素成分除去剤を使用して、吸気用ダクト内に吸引した空気を当該塩素成分除去剤に的確に接触させて、当該空気から塩素成分を効率よく除去することを意図しているもので、
本発明に係る塩素成分除去装置においては、これに対処すべく、前記吸気用ダクトの排気口より上流側に前記塩素成分除去剤のシャワーを形成するシャワー形成装置を設け、吸気用ダクト内に吸引した空気を、当該シャワー形成装置が形成するシャワー内を透過させるようにして、当該空気内の塩素成分を、シャワー状の塩素成分除去剤に確実に接触させて効率よく除去するようにしている。当該塩素成分除去剤は、具体的には、使用する電解生成水（電解生成酸性水）の生成と同時に電解水生成装置で生成される電解生成アルカリ性水や、固体のチオ硫酸ナトリウムを水に溶解して調製されるチオ硫酸ナトリウム水溶液、塩化ナトリウム等の水溶液であるアルカリ性水等を挙げることができる。
【００１３】
本発明に係る塩素成分除去装置においては、当該シャワー形成装置の第１のシャワー形成装置を、複数のシャワーノズルと、これらのシャワーノズルの下方にて所定間隔離れて位置する受水槽と、同受水槽内の塩素成分除去剤を前記各シャワーノズルに還流して供給する給水ポンプを備える構成としている。また、当該シャワー形成装置の第２のシャワー形成装置を、底部に多数のノズル穴を有する上側水槽と、同上側水槽の下方にて所定間隔離れて位置する下側水槽と、同下側槽内の塩素成分除去剤を還流して前記上側水槽に供給する給水ポンプを備える構成としている。これらの構成においては、前記受水槽や前記下側水槽にオーバフロー管路を設けるとともに、前記受水槽や上側水槽に電解生成アルカリ性水、チオ硫酸ナトリウム水溶液、アルカリ性水等を導入し得る構成とすれば、液状の塩素成分除去剤であるこれらの塩素成分除去剤の使い勝手を良好にすることができる。
【発明を実施するための最良の形態】
【００１４】
本発明は、電解生成酸性水の使用中に、当該電解生成酸性水から揮発する塩素成分を除去するための塩素成分装置に関する。本発明の実施形態では、シャワー形成装置の構成を互いに異にする２種類の塩素成分除去装置である、第１の塩素成分除去装置Ａ1および第２の塩素成分除去装置Ａ2を例示している。図１〜図３は、第１，第２の塩素成分除去装置Ａ1，Ａ2のいずれかを備える洗浄台の正面図、平面図、左側面図であり、図４は、両塩素成分除去装置Ａ1，Ａ2の正面図である。また、図５（ａ）は、第１の塩素成分除去装置Ａ1の横断した状態を概略的に示す横断平面図、同図（ｂ）は、第２の塩素成分除去装置Ａ2の横断した状態を概略的に示す横断平面図である。また、図６（ａ）は、第１の塩素成分除去装置Ａ1の縦断した状態を概略的に示す縦断側面図、同図（ｂ）は、第２の塩素成分除去装置Ａ2の縦断した状態を概略的に示す縦断側面図である。
【００１５】
第１，第２のの塩素成分除去装置Ａ1，Ａ2は、電解生成水供給源である電解水生成装置Ｂの配設位置に近接して設置されている、洗浄台（シンク）Ｃに配設されている。洗浄台Ｃは、台本体ｃ1の上側部位である天板の一部が受台ｃ2に形成されているとともに、受台ｃ2の隣接する部位が受槽ｃ3に形成されている。洗浄台Ｃの受槽ｃ3の上方には、電解水生成装置Ｂが有する蛇口ｂが臨んでいる。洗浄台Ｃは、電解水生成装置Ｂおよび塩素成分除去装置Ａ1，Ａ2の運転を制御する制御装置を内蔵するコントロールボックスＤを備えている。電解水生成装置Ｂは、有隔膜電解槽を主体とするもので、同電解槽の陽極側電解室では電解生成酸性水が生成され、かつ、同電解槽の陰極側電解室では電解生成アルカリ性水が生成される。
【００１６】
生成された電解生成酸性水は、有効塩素成分を含有する殺菌能に富む電解生成水であって、当該電解水生成装置Ｂの電解運転時には蛇口ｂを通して吐出され、吐出された電解生成酸性水は洗浄台Ｃの受槽ｃ3に受水されて収容される。吐出された電解生成酸性水は、その吐出途中および／または受槽ｃ3に収容された状態で、手足等の身体の消毒洗浄、食器やその他の各種器具の殺菌洗浄、食材の殺菌洗浄等に使用される。また、当該電解水生成装置Ｂにおいては、生成された電解生成アルカリ性水は、基本的には、洗浄台Ｃの台本体ｃ1内の空間部に配設した図示しない貯留タンクに収容され、必要時には、貯留タンクから抽出して、例えばアルカリ性の洗浄水として使用され、不要時には排水処理される。なお、受槽ｃ3に収容されている電解生成酸性水は、図示しない排水弁を開放することにより、受槽ｃ3内の底部に設けた排水用タンクｃ4を通して排水される。また、受槽ｃ3内の余剰の電解生成酸性水は、流入口ｃ5から図示しないオーバフローパイプに流入し、同オーバフローパイプを通して排水用タンクｃ4に流入する。
【００１７】
当該電解水生成装置Ｂで生成される電解生成酸性水は、揮発性の有効塩素成分を含有するもので、電解生成酸性水が含有する揮発性の塩素成分は、蛇口ｂから吐出中の電解生成酸性水や、受槽ｃ3に収容されている電解生成酸性水から揮発して、洗浄台Ｃの設置場所の周囲に飛散する。塩素成分除去装置Ａ1，Ａ2は、洗浄台Ｃの設置場所の周囲の雰囲気を吸気して、雰囲気中の塩素成分を除去すべく機能する。塩素成分除去装置Ａ1，Ａ2は、その主体部を、洗浄台Ｃの受台ｃ2の下面側にて受槽ｃ3の側部に配設されている。
【００１８】
第１の塩素成分除去装置Ａ1は、吸気用ダクト１１、吸気用ダクト１１内の途中に配置したシャワー形成装置２０ａ、吸気用ダクト１１内の途中に配設した吸気用ファン１２を備えている。吸気用ダクト１１は、洗浄台Ｃの受槽ｃ3の側部に沿って前方から背面側に延びる断面正方形の主ダクト部１１ａと、主ダクト部１１ａの先端から斜め上方に延びて台本体ｃ1の背面側の起立壁部ｃ6内を経て前側に開口する断面長方形の副ダクト部１１ｂと、主ダクト部１１ａの基端から側部に延びて背面側に開口する断面長方形の排気口部１１ｃにより構成されている。副ダクト部１１ｂの先端は、起立壁部ｃ6における前側にて、受槽ｃ3の上方の部位に開口していて、副ダクト部１１ｂの先端側開口部が吸気口１１ｄに形成されている。吸気口１１ｄは、受槽ｃ3の上方にて受槽ｃ3に沿って左右に所定長さ延びている。
【００１９】
当該塩素成分除去装置Ａ1を構成するシャワー形成装置である第１のシャワー形成装置２０ａは、吸気用ダクト１１の主ダクト部１１ａに一体に形成した受水槽２１と、主ダクト部１１ａの外側に配設した給水管路２２と、給水管路２２に連結された状態で主ダクト部１１ａの内側における受水槽２１の上方に臨む多数のシャワーノズル２３（２３ａ，２３ｂ，２３ｃ，２３ｄ，２３ｅ）と、受水槽２１と給水管路２２間を連結する連結管路２４に介装された循環ポンプ２５にて構成されている。当該塩素成分除去装置Ａ1においては、シャワー形成装置２０ａの給水管路２２に連通する導入管路２６を備え、導入管路２６の先端開口部２６ａは液状の塩素成分除去剤の供給口になっている。また、受水槽２１は側部にオーバフローパイプ２１ａを備え、受水槽２１に収容される液状の塩素成分除去剤の液面が一定になるようになっている。
【００２０】
塩素成分除去剤として、チオ硫酸ナトリウム水溶液やアルカリ性水を採用する場合には、所定濃度に調製されたチオ硫酸ナトリウム水溶液やアルカリ性水を、供給口である導入管路２６の先端開口部２６ａから給水管路２２および多数のシャワーノズル２３を通して受水槽２１に供給する。また、塩素成分除去剤として、電解生成アルカリ性水を採用する場合には、電解水生成装置Ｂで生成される電解生成アルカリ性水の導入パイプを導入管路２６の先端開口部２６ａに接続して、生成される電解生成アルカリ性水を連続的または間欠的に、導入管路２６の先端開口部２６ａから給水管路２２および多数のシャワーノズル２３を通して受水槽２１に供給する。
【００２１】
第１のシャワー形成装置２０ａにおいては、吸気用ファン１２の駆動と連動して循環ポンプ２５が駆動し、受水槽２１に所定量収容されているチオ硫酸ナトリウム水溶液、アルカリ性水または電解生成アルカリ性水（塩素成分除去液と称することがある）を、図６（ａ）の矢印で示すように、給水管路２２に還流して連続供給させる。給水管路２２に連続供給された塩素成分除去液は、図５（ａ）および図６（ａ）に示すように、各シャワーノズル２３ａ〜２３ｅから噴出し、主ダクト部１１ａ内に上方から下方に至るカーテン状のシャワーＥを形成して受水槽２１に受承される。塩素成分除去液によるカーテン状のシャワーＥは、当該塩素成分除去装置Ａ1が運転を停止するまで継続して形成される。
【００２２】
当該塩素成分除去装置Ａ1においては、その運転が電解水生成装置Ｂと連動する構成となっており、作業者が電解生成酸性水を使用すべく、電解水生成装置Ｂの電解運転を開始すると、当該塩素成分除去装置Ａ1は、その吸気用ファン１３、および、当該シャワー形成装置２０ａの循環ポンプ２５が駆動して運転を開始する。また、作業者が電解生成酸性水の使用を終了すべく電解水生成装置Ｂの電解運転を停止すると、当該塩素成分除去装置Ａ1は、その吸気用ファン１３および循環ポンプ２５の駆動が停止されて運転を停止する。当該塩素除去装置Ａ1と電解水生成装置Ｂの運転の互いの連動は、コントロールボックスＤ内に収納した制御装置によって制御され、また、電解水生成装置Ｂの電解運転の開始および停止は、作業者による、コントロールボックスＤの操作盤に配設したスイッチ類の操作によって行われる。
【００２３】
従って、当該塩素成分除去装置Ａ1は、電解生成酸性水を使用しようとする作業者が電解水生成装置Ｂの電解運転を開始する操作を行うと、吸気用ファン１３および循環ポンプ３５が駆動して運転を開始する。当該塩素成分除去装置Ａ1は、運転の開始により、洗浄台Ｃの周囲の雰囲気を、図５（ａ）の矢印で示すように、吸気用ダクト１１の吸気口１１ｄを通して副ダクト部１１ｂ内に吸引して、主ダクト部１１ａ内を経て排気口部１１ｃから排出させる。この間、空気流は主ダクト部１１ａ内に配設したシャワー形成装置２０ａが形成しているカーテン状のシャワーＥを透過して、シャワー状の塩素成分除去液と的確に接触する。
【００２４】
この結果、空気中の塩素成分は、塩素成分除去液と反応して空気中から除去され、塩素成分を除去された当該空気流は、塩素成分を含有しない排気として排気口部１１ｃから排出される。塩素成分除去液と空気中の塩素成分との反応は、塩素成分除去液がチオ硫酸ナトリウム水溶液（Ｎａ2Ｓ2Ｏ3）の場合には下記式（１）に示すように進行し、また、塩素成分除去液が電解生成アルカリ性水やアルカリ性水（ＮａＯＨ）の場合には下記式（２）に示すように進行する。
【００２５】
【化１】
2005081290.tif 000003
【００２６】
このように、当該塩素成分除去装置Ａ1においては、電解水生成装置Ｂで生成された電解生成酸性水を洗浄台Ｃの設置場所にて使用している間、洗浄台Ｃの周囲の雰囲気を吸引して、雰囲気中の塩素成分を除去するものであって、電解生成酸性水の使用中に揮発する塩素成分による周囲の汚染を防止する。当該塩素成分除去装置Ａ1は小型であって、換気設備が整っていない場所で、洗浄台Ｃの台本体ｃ1内の狭い空間に設置して、電解生成酸性水から揮発する塩素ガス等の塩素成分を効率よく除去することができる。
【００２７】
当該塩素成分除去装置Ａ1においては、特に、塩素成分除去剤として、吸気用ダクト内に吸引した空気中の塩素成分と反応して塩に変換することによって当該空気中から塩素成分を除去する機能を有する塩素成分除去液を採用していて、吸気用ダクト１１内に吸引された空気を塩素成分除去液に的確に接触させる方式を採っている。このため、当該空気から塩素成分を除去する効率を一層向上させることができる。
【００２８】
また、当該塩素成分除去装置Ａ1においては、塩素成分除去液として、チオ硫酸ナトリウム水溶液、電解生成アルカリ性水、アルカリ性水等を採用することができる。塩素成分除去液として、特に、電解生成アルカリ性水を採用する場合には、電解水生成装置Ｂにおいて、使用すべき電解生成酸性水と同時に生成される電解生成アルカリ性水をそのまま使用することができて、使用態様も簡単で、かつ、経済的にも有利である。
【００２９】
本発明に係る第２の塩素成分除去装置Ａ2は、第２のシャワー形成装置２０ｂを有するものである。当該シャワー形成装置２０ｂは、図５（ｂ）および図６（ｂ）に示すように、吸気用ダクト１１の主ダクト部１１ａの天井側に形成した上側水槽２７と、主ダクト部１１ａの底部側に形成した下側水槽２８と、これら両水槽２７，２８間を連結する連結管路２４に介装された循環ポンプ２５にて構成されている。上側水槽２７は、底部に多数のノズル穴を備えるもので、下側水槽２８の上方にて同水槽２８に対向して位置している。当該塩素成分除去装置Ａ２においては、シャワー形成装置２０ｂの上側水槽２７に連通する導入管路２６を備え、導入管路２６の先端開口部２６ａは液状の塩素成分除去剤の供給口になっている。また、下側水槽２８は側部にオーバフローパイプ２８ａを備え、下側水槽２８に収容されている液状の塩素成分除去剤の液面が一定になるようになっている。
【００３０】
当該シャワー形成装置２０ｂにおいても、塩素成分除去液としては、チオ硫酸ナトリウム水溶液、電解生成アルカリ性水およびアルカリ性水を選択して採用することができ、チオ硫酸ナトリウム水溶液やアルカリ性水を採用する場合には、所定濃度に調製されたチオ硫酸ナトリウム水溶液やアルカリ性水を、供給口である導入管路２６の先端開口部２６ａから上側水槽２６に供給する。また、塩素成分除去剤として、電解生成アルカリ性水を採用する場合には、電解水生成装置Ｂで生成される電解生成アルカリ性水の導入パイプを導入管路２６の先端開口部２６ａに接続して、生成される電解生成アルカリ性水を連続的または間欠的に上側水槽２６に供給する。上側水槽２６に供給された塩素成分除去液は、上側水槽２６の底部に設けた多数のノズル穴から噴出して、カーテン状のシャワーＥを形成しつつ下側水槽２８に受承されて収容される。下側水槽２８は、所定量の塩素成分除去液を収容する。
【００３１】
第２のシャワー形成装置２０ｂにおいては、吸気用ファン１２の駆動と連動して循環ポンプ２５が駆動し、図６（ｂ）の矢印で示すように、下側水槽２８に所定量収容されている塩素成分除去液を上側水槽２７に還流して連続供給させる。上側水槽２７に連続供給された塩素成分除去液は、上側水槽２７の底部の各ノズルから噴出し、主ダクト部１１ａ内に、上方から下方に至るカーテン状のシャワーＥを形成して下側水槽２８に再び受承される。塩素成分除去液によるカーテン状のシャワーＥは、当該塩素成分除去装置Ａ2が運転を停止するまで継続して形成される。
【００３２】
当該塩素成分除去装置Ａ2においては、第１の塩素成分除去装置Ａ1と同様に、その運転が電解水生成装置Ｂと連動する構成となっており、作業者が電解生成酸性水を使用すべく、電解水生成装置Ｂの電解運転を開始すると、当該塩素成分除去装置Ａ2は、その吸気用ファン１３、および、当該シャワー形成装置２０ｂの循環ポンプ２５が駆動して運転を開始する。また、作業者が電解生成酸性水を使用を終了すべく電解水生成装置Ｂの電解運転を停止すると、当該塩素成分除去装置Ａ2は、その吸気用ファン１３および循環ポンプ２５の駆動を停止して運転を停止する。当該塩素除去装置Ａ2と電解水生成装置Ｂの運転の互いの連動は、コントロールボックスＤ内に収納した制御装置によって制御され、また、電解水生成装置Ｂの電解運転の開始および停止は、作業者による、コントロールボックスＤの操作盤に配設したスイッチ類の操作によって行われる。
【００３３】
当該塩素成分除去装置Ａ２が運転を開始すると、洗浄台Ｃの周囲の雰囲気である空気は、図５（ｂ）の矢印で示すように、吸気用ダクト１１の吸気口１１ｄを通して副ダクト部１１ｂ内に吸引され、吸引された空気流は、主ダクト部１１ａ内を経て排気口部１１ｃから排出される。この間、空気流は主ダクト部１１ａ内に配設したシャワー形成装置２０ｂが形成しているカーテン状のシャワーＥを透過して、シャワー状の塩素成分除去液と的確に接触する。この結果、空気中の塩素成分は塩素成分除去液と反応して、空気中から除去され、塩素成分を除去された当該空気流は、塩素成分を含有しない排気として排気口部１１ｃから排出される。この結果、当該塩素成分除去装置Ａ2においては、第１の塩素成分除去装置Ａ1と同様に、吸気用ダクト１１内に吸引した空気中の塩素成分はシャワー形成装置２０ｂにより除去され、塩素成分を含有しない空気が排出され、第１の塩素成分除去装置Ａ1と同様の作用効果を奏するものである。
【図面の簡単な説明】
【００３４】
【図１】本発明に係る塩素成分除去装置を装備した洗浄台の正面図である。
【図２】同洗浄台の平面図である。
【図３】同洗浄台の左側面図である。
【図４】同洗浄台が装備した塩素成分除去装置の正面図である。
【図５】本発明に係る第１の塩素成分除去装置の横断面を概略的に示す横断平面図（ａ）、および、第２の塩素成分除去装置の横断面を概略的に示す横断平面図（ｂ）である。
【図６】第１の塩素成分除去装置の縦断面を概略的に示す縦断側面面（ａ）、および、第２の塩素成分除去装置の縦断面を概略的に示す縦断側面図（ｂ）である。
【符号の説明】
【００３５】
Ａ1，Ａ2…第１，第２の塩素成分除去装置、Ｂ…電解水生成装置、ｂ…蛇口、Ｃ…洗浄台（シンク）、ｃ1…台本体、ｃ2…受台、ｃ3…受槽、ｃ4…排水用タンク、ｃ5…流入口、ｃ6…起立壁部、Ｄ…コントロールボックス、Ｅ…シャワー、１１…吸気用ダクト、１１ａ…主ダクト部、１１ｂ…副ダクト部、１１ｃ…排気口部、１１ｄ…吸気口、１２…吸気用ファン、２０ａ，２０ｂ…第１，第２のシャワー形成装置、２１…受水槽、２１ａ…オーバフローパイプ、２２…給水管路、２３（２３ａ〜２３ｅ）…シャワーノズル、２４…連結管路、２５…循環ポンプ、２６…導通管路、２６ａ…先端開口部（供給口）、２７…上側水槽、２８…下側水槽。２８ａ…オーバフローパイプ、Ｂ…電解水生成装置、ｂ…蛇口、Ｃ…洗浄台（シンク）ｃ1…台本体、ｃ2…受台、ｃ3…受槽、ｃ4…排水用タンク、ｃ5…流入口、ｃ6…起立壁部、Ｄ…コントロールボックス、Ｅ…シャワー。
【図１】
2005081290.tif 000004
【図２】
2005081290.tif 000005
【図３】
2005081290.tif 000006
【図４】
2005081290.tif 000007
【図５】
2005081290.tif 000008
【図６】
2005081290.tif 000009